(57)【要約】【課題】より高品質な輝度画像を得ることができるようにする。【解決手段】撮像装置は、モノクロイメージセンサで輝度画像を撮影するとともに、カラーイメージセンサでカラー画像を撮影する。倍率収差量判定部は、レンズ部の倍率色収差に関する情報に基づいて像高位置ごとの倍率色収差量を分析する。記録画像選択部は、倍率色収差量の分析結果に基づいて、モノクロイメージセンサで撮影された輝度画像、またはカラーイメージセンサで撮影されたカラー画像から得られた輝度画像を選択し、記録画像とする。このように倍率色収差量に応じて輝度画像を選択することで、倍率色収差によるにじみの少ない高品質な記録画像を得ることができる。本技術は、デジタルスチルカメラに適用することができる。【選択図】図３
2015231052.tif 000002
【特許請求の範囲】
【請求項１】
レンズ部を介して被写体を撮影して得られたカラー画像に対して倍率色収差補正を施す倍率色収差補正部と、
前記レンズ部の倍率色収差量に基づいて、前記レンズ部を介して前記被写体を撮影して得られた第１の輝度画像、または倍率色収差補正された前記カラー画像から得られた第２の輝度画像の何れか一方を選択して出力する画像選択部と
を備える撮像装置。
【請求項２】
前記画像選択部は、像高ごとに前記第１の輝度画像または前記第２の輝度画像の何れか一方を選択する
請求項１に記載の撮像装置。
【請求項３】
前記画像選択部は、前記像高における前記倍率色収差量の絶対値が閾値以上である場合、前記第２の輝度画像を選択する
請求項２に記載の撮像装置。
【請求項４】
前記第２の輝度画像を前記第１の輝度画像と同じサイズに変換する画サイズ変換部をさらに備え、
前記画像選択部は、前記第１の輝度画像、または前記画サイズ変換によりサイズ変換された前記第２の輝度画像の何れか一方を選択する
請求項１に記載の撮像装置。
【請求項５】
前記カラー画像を撮影するカラー画像撮影部と、
前記第１の輝度画像を撮影する輝度画像撮影部と
をさらに備える請求項１に記載の撮像装置。
【請求項６】
前記カラー画像撮影部のサイズと前記輝度画像撮影部のサイズとが異なる
請求項５に記載の撮像装置。
【請求項７】
Ｒ、Ｇ、およびＢの各色成分の画像からなる前記カラー画像を前記第２の輝度画像に変換する画像変換部をさらに備える
請求項１に記載の撮像装置。
【請求項８】
レンズ部を介して被写体を撮影して得られたカラー画像に対して倍率色収差補正を施し、
前記レンズ部の倍率色収差量に基づいて、前記レンズ部を介して前記被写体を撮影して得られた第１の輝度画像、または倍率色収差補正された前記カラー画像から得られた第２の輝度画像の何れか一方を選択して出力する
ステップを含む撮影方法。
【請求項９】
レンズ部を介して被写体を撮影して得られたカラー画像に対して倍率色収差補正を施し、
前記レンズ部の倍率色収差量に基づいて、前記レンズ部を介して前記被写体を撮影して得られた第１の輝度画像、または倍率色収差補正された前記カラー画像から得られた第２の輝度画像の何れか一方を選択して出力する
ステップを含む処理をコンピュータに実行させるプログラム。
【発明の詳細な説明】
【技術分野】
【０００１】
本技術は撮像装置および方法、並びにプログラムに関し、特に、より高品質な輝度画像を得ることができるようにした撮像装置および方法、並びにプログラムに関する。
【背景技術】
【０００２】
従来、撮影レンズの倍率色収差による色ずれによって、撮影された撮影画像上のエッジ部分ににじみが生じてしまうことが知られている。そこで、Ｒ画像、Ｇ画像、およびＢ画像からなるカラーの撮影画像に対して、倍率色収差の補正を行う技術が提案されている（例えば、特許文献１参照）。
【０００３】
このような倍率色収差補正では、例えば撮影画像の像高位置ごとにＧ信号に対するＲ信号およびＢ信号の色ずれ量を光学設計データや撮影画像から取得し、それらの色ずれ量に基づいてＲ画像やＢ画像を拡大処理または縮小処理することで倍率色収差が補正される。
【先行技術文献】
【特許文献】
【０００４】
【特許文献１】特開平６−２０５２７３号公報
【発明の概要】
【発明が解決しようとする課題】
【０００５】
ところで、カラー画像を撮影する場合には、撮影により得られた画像に対して上述した技術により補正を施し、倍率色収差に起因するにじみを除去することが可能である。
【０００６】
しかしながら、モノクロイメージセンサにより撮影されたモノクロ画像、すなわち輝度画像に対しては原理的に上述した倍率色収差の補正を行うことができない。これは、モノクロイメージセンサでは、カラー画像、つまり互いに異なる色の画像を撮影することができないからである。
【０００７】
特に、高解像度な輝度画像を取得可能なモノクロイメージセンサが搭載されたカメラにおいて、倍率色収差が大きいレンズで輝度画像を撮影すると、倍率色収差によりエッジ部分のにじみが大きくなり、輝度画像の品質が低下してしまう。
【０００８】
本技術は、このような状況に鑑みてなされたものであり、より高品質な輝度画像を得ることができるようにするものである。
【課題を解決するための手段】
【０００９】
本技術の一側面の撮像装置は、レンズ部を介して被写体を撮影して得られたカラー画像に対して倍率色収差補正を施す倍率色収差補正部と、前記レンズ部の倍率色収差量に基づいて、前記レンズ部を介して前記被写体を撮影して得られた第１の輝度画像、または倍率色収差補正された前記カラー画像から得られた第２の輝度画像の何れか一方を選択して出力する画像選択部とを備える。
【００１０】
前記画像選択部には、像高ごとに前記第１の輝度画像または前記第２の輝度画像の何れか一方を選択させることができる。
【００１１】
前記画像選択部には、前記像高における前記倍率色収差量の絶対値が閾値以上である場合、前記第２の輝度画像を選択させることができる。
【００１２】
撮像装置には、前記第２の輝度画像を前記第１の輝度画像と同じサイズに変換する画サイズ変換部をさらに設け、前記画像選択部には、前記第１の輝度画像、または前記画サイズ変換によりサイズ変換された前記第２の輝度画像の何れか一方を選択させることができる。
【００１３】
撮像装置には、前記カラー画像を撮影するカラー画像撮影部と、前記第１の輝度画像を撮影する輝度画像撮影部とをさらに設けることができる。
【００１４】
前記カラー画像撮影部のサイズと前記輝度画像撮影部のサイズとが異なるようにすることができる。
【００１５】
撮像装置には、Ｒ、Ｇ、およびＢの各色成分の画像からなる前記カラー画像を前記第２の輝度画像に変換する画像変換部をさらに設けることができる。
【００１６】
本技術の一側面の撮影方法またはプログラムは、レンズ部を介して被写体を撮影して得られたカラー画像に対して倍率色収差補正を施し、前記レンズ部の倍率色収差量に基づいて、前記レンズ部を介して前記被写体を撮影して得られた第１の輝度画像、または倍率色収差補正された前記カラー画像から得られた第２の輝度画像の何れか一方を選択して出力するステップを含む。
【００１７】
本技術の一側面においては、レンズ部を介して被写体を撮影して得られたカラー画像に対して倍率色収差補正が施され、前記レンズ部の倍率色収差量に基づいて、前記レンズ部を介して前記被写体を撮影して得られた第１の輝度画像、または倍率色収差補正された前記カラー画像から得られた第２の輝度画像の何れか一方が選択されて出力される。
【発明の効果】
【００１８】
本技術の一側面によれば、より高品質な輝度画像を得ることができる。
【００１９】
なお、ここに記載された効果は必ずしも限定されるものではなく、本開示中に記載された何れかの効果であってもよい。
【図面の簡単な説明】
【００２０】
【図１】倍率色収差について説明する図である。
【図２】倍率色収差の補正について説明する図である。
【図３】撮像装置の構成例を示す図である。
【図４】レンズ情報転送処理を説明するフローチャートである。
【図５】倍率色収差情報の一例を示す図である。
【図６】ライブビュー表示処理を説明するフローチャートである。
【図７】撮影処理を説明するフローチャートである。
【図８】像高位置について説明する図である。
【図９】コンピュータの構成例を示す図である。
【発明を実施するための形態】
【００２１】
以下、図面を参照して、本技術を適用した実施の形態について説明する。
【００２２】
〈第１の実施の形態〉
〈本技術の概要〉
まず、本技術の概要について説明する。
【００２３】
例えば図１の矢印Ａ１１に示すように倍率色収差のないレンズＬ１１により任意の点Ｐ１１からの光を集光し、カラーイメージセンサＩＭ１１上に点Ｐ１１の光像を結像したとする。
【００２４】
ここで、カラーイメージセンサＩＭ１１には、Ｒ（赤），Ｇ（緑），Ｂ（青）の各色の画素が設けられており、それらの色成分ごとのＲ画像、Ｇ画像、およびＢ画像からなる撮影画像ＩＰ１１が撮影により得られる。
【００２５】
この例ではレンズＬ１１には倍率色収差がないので、カラーイメージセンサＩＭ１１上における点Ｐ１１からのＲ、Ｇ、Ｂの各色の光の結像位置は同じとなる。すなち、カラーイメージセンサＩＭ１１上における、レンズＬ１１の光軸からのＲ、Ｇ、Ｂの各色の光の結像位置までの距離（高さ）をＫR、ＫG、ＫBとするとＫB＝ＫG＝ＫRとなる。
【００２６】
したがって、カラーイメージセンサＩＭ１１が被写体を撮影することで得られる撮影画像ＩＰ１１は、被写体のエッジ部分ににじみのない高品質な画像となる。
【００２７】
これに対して、矢印Ａ１２に示すように倍率色収差のあるレンズＬ１２により点Ｐ１１からの光を集光し、カラーイメージセンサＩＭ１１上に点Ｐ１１の光像を結像したとする。
【００２８】
そのような場合、レンズＬ１２が有する倍率色収差によってＲ、Ｇ、Ｂの各色の光の光路にずれ（差異）が生じる。そのため、図中、下側に示すようにカラーイメージセンサＩＭ１１上における、レンズＬ１２の光軸からのＲ、Ｇ、Ｂの各色の光の結像位置までの距離ＫR、ＫG、ＫBは互いに異なる距離となり、結像位置にずれが生じる。
【００２９】
そうすると、図中、右下に示すようにカラーイメージセンサＩＭ１１が被写体を撮影することで得られる撮影画像ＩＰ１２は、被写体のエッジ部分ににじみが生じた画像となってしまう。この例では、撮影画像ＩＰ１２上の斜線部分の領域がにじみを表している。
【００３０】
そこでカラー画像を撮影する場合には、図２に示すようにカラー画像である撮影画像ＩＰ１２を構成するＲ画像ＩＰＲ、Ｇ画像ＩＰＧ、およびＢ画像ＩＰＢを用いて倍率色収差を補正することで、にじみが低減された撮影画像ＩＰ１３を得る技術が知られている。
【００３１】
この例では、Ｒ画像ＩＰＲが倍率色収差に基づいて縮小されてＲ画像ＩＰＲ’とされるとともに、Ｂ画像ＩＰＢが倍率色収差に基づいて拡大されてＢ画像ＩＰＢ’とされる。そして、Ｒ画像ＩＰＲ’、Ｇ画像ＩＰＧ、およびＢ画像ＩＰＢ’が再合成されて最終的なカラー画像である撮影画像ＩＰ１３とされる。
【００３２】
このように撮影により得られる画像がカラー画像である場合には、倍率色収差により生じる色成分ごとの結像位置のずれを補正し、にじみのない高品質な画像を得ることができる。しかし、撮影により得られる画像が輝度画像である場合には、輝度画像に色成分に関する情報は含まれていないため、上述した方法では倍率色収差により生じるずれを補正することができない。
【００３３】
そこで、本技術ではモノクロイメージセンサとカラーイメージセンサとを用いて、それぞれ輝度画像およびカラー画像を撮影し、撮影された輝度画像と、カラー画像から得られた輝度画像とから最終的な輝度画像（以下、記録画像とも称する）を得る。
【００３４】
具体的には、記録画像の中心からの位置、すなわち像高ごとに、各像高における倍率色収差に関する情報に基づいて、撮影された輝度画像と、カラー画像から得られた輝度画像とのうちの何れか一方が記録画像として選択される。換言すれば、撮影された輝度画像と、カラー画像から得られた輝度画像とのうち、よりにじみの少ない画像が記録画像として選択される。これにより、にじみの少ない高品質な画像を得ることができる。
【００３５】
〈撮像装置の構成例〉
次に、本技術を適用した具体的な実施の形態について説明する。
【００３６】
図３は、本技術を適用した撮像装置の一実施の形態の構成例を示す図である。
【００３７】
図３に示す撮像装置１１は、例えばデジタルスチルカメラやデジタルビデオカメラなどからなる。撮像装置１１は、交換レンズ部２１およびカメラ部２２を有している。
【００３８】
交換レンズ部２１はカメラ部２２に着脱可能となっており、交換レンズ部２１はレンズ情報送信部３１およびレンズ部３２を備えている。
【００３９】
レンズ情報送信部３１は、レンズ部３２の特性に関する各種の情報を記録しており、記録している情報をカメラ部２２へと転送する。例えばレンズ情報送信部３１は、レンズ部３２の結像面、すなわち撮影により得られる画像における像高ごとの倍率色収差に関する情報である倍率色収差情報をレンズ情報として記録している。
【００４０】
レンズ部３２は、１または複数のレンズや絞りなどからなり、被写体から入射した光を集光してカメラ部２２へと導く。
【００４１】
また、カメラ部２２は、ビームスプリッタ４１、モノクロイメージセンサ４２、カラーイメージセンサ４３、レンズ情報受信部４４、倍率色収差補正部４５、デモザイク部４６、ＹＣ変換部４７、表示部４８、画サイズ変換部４９、倍率収差量判定部５０、記録画像選択部５１、および記録部５２を備えている。
【００４２】
ビームスプリッタ４１は、レンズ部３２から入射した光を予め定められた所定の割合で分離させ（分割し）、モノクロイメージセンサ４２およびカラーイメージセンサ４３に導く。すなわち、ビームスプリッタ４１は、レンズ部３２から入射した光の一部を透過させてモノクロイメージセンサ４２に入射させるとともに、レンズ部３２から入射した光の一部を反射させてカラーイメージセンサ４３に入射させる。
【００４３】
なお、ビームスプリッタ４１が入射した光を分離させる割合、すなわち反射（または透過）させる割合はどのような割合であってもよいが、例えば入射した光を分離させる割合が略５０％とされる場合には、ビームスプリッタ４１はハーフミラーとなる。
【００４４】
モノクロイメージセンサ４２は、例えばCMOS（Complementary Metal-Oxide Semiconductor）イメージセンサなどの撮像素子からなり、ビームスプリッタ４１から入射した光を受光して光電変換することにより輝度画像を撮影し、記録画像選択部５１に供給する。
【００４５】
このモノクロイメージセンサ４２の撮像面にはカラーフィルタが設けられていないため、モノクロイメージセンサ４２では輝度情報のみを有する輝度画像、つまりモノクロ画像が得られる。特に、モノクロイメージセンサ４２では、撮像面に設けられた全画素（フォトダイオード）が輝度画像の撮影に用いられるので、高解像度な輝度画像を得ることができる。
【００４６】
カラーイメージセンサ４３は、例えばCMOSイメージセンサなどの撮像素子からなり、ビームスプリッタ４１から入射した光を受光して光電変換することによりカラー画像を撮影し、倍率色収差補正部４５に供給する。
【００４７】
このカラーイメージセンサ４３の撮像面にはＲ、Ｇ、およびＢの各色のカラーフィルタが、例えばベイヤー配列で並べられて設けられている。そのため、カラーイメージセンサ４３ではＲ画像、Ｇ画像、およびＢ画像の各色成分の画像からなるカラー画像が得られる。
【００４８】
なお、より詳細には、カラーイメージセンサ４３による撮影で得られる画像は各画素がＲ、Ｇ、Ｂの何れかの色情報を有するＲＡＷ画像であり、このＲＡＷ画像に対してデモザイク処理が行われ、カラー画像が得られる。
【００４９】
また、カメラ部２２では、基本的にはモノクロイメージセンサ４２は記録用の画像を得るための撮像素子であり、カラーイメージセンサ４３はライブビュー用の画像を得るための撮像素子とされている。
【００５０】
そのため、モノクロイメージセンサ４２のサイズは、カラーイメージセンサ４３のサイズよりも大きいサイズ（画素数）となっている。すなわち、より詳細にはモノクロイメージセンサ４２で得られる輝度画像のサイズ（画素数）が、カラーイメージセンサ４３で得られるカラー画像のサイズ（画素数）よりも大きくなるようになされている。
【００５１】
したがって、この例では輝度画像がカラー画像よりもより高精細（高解像度）な画像、つまりより高品質な画像となる。特にモノクロイメージセンサ４２では全画素で輝度情報が得られ、補完を行う必要がないので、モノクロイメージセンサ４２で得られる輝度画像は、色情報の補完が行われるカラー画像よりも高精細な画像となる。
【００５２】
レンズ情報受信部４４は、レンズ情報送信部３１から転送（送信）されてきたレンズ情報を受信して、倍率色収差補正部４５および倍率収差量判定部５０に供給する。
【００５３】
倍率色収差補正部４５は、レンズ情報受信部４４から供給されたレンズ情報としての倍率色収差情報に基づいて、カラーイメージセンサ４３から供給されたＲＡＷ画像に対して倍率色収差補正を施し、デモザイク部４６に供給する。
【００５４】
デモザイク部４６は、倍率色収差補正部４５から供給されたＲＡＷ画像に対してデモザイク処理を行い、ＲＡＷ画像をＲ画像、Ｇ画像、およびＢ画像からなるカラー画像に変換する。デモザイク部４６は、得られたカラー画像をＹＣ変換部４７に供給する。
【００５５】
ＹＣ変換部４７は、デモザイク部４６から供給されたカラー画像に対して色空間変換を行う。これにより、カラー画像がＲＧＢ空間の画像から、ＹＣ空間の画像へと変換される。すなわち、色空間変換によって、Ｒ画像、Ｇ画像、およびＢ画像からなるカラー画像が、輝度画像（Ｙ画像）および色差画像（Ｃｒ画像およびＣｂ画像）からなるカラー画像に変換される。
【００５６】
ＹＣ変換部４７は、輝度画像および色差画像からなるカラー画像を表示部４８に供給するとともに、カラー画像を構成する輝度画像を画サイズ変換部４９に供給する。
【００５７】
表示部４８は、例えば液晶表示パネルや有機ＥＬ（Electro Luminescence）パネルなどからなり、ＹＣ変換部４７から供給されたカラー画像をライブビュー画像として表示する。
【００５８】
例えば表示部４８は、撮像装置１１の表示パネルやEVF（Electronic View Finder）として機能する。したがって、ユーザは撮像装置１１を用いて撮影を行うときには、表示部４８に表示されるライブビュー画像を見ながら画角等を確認する。
【００５９】
なお、以下ではライブビュー画像としてカラー画像が表示される例について説明するが、カラー画像を構成する輝度画像のみがライブビュー画像として表示されるようにしてもよい。
【００６０】
画サイズ変換部４９は、ＹＣ変換部４７から供給された輝度画像を、モノクロイメージセンサ４２により撮影された輝度画像のサイズに合わせて画サイズ変換処理を行い、記録画像選択部５１に供給する。
【００６１】
倍率収差量判定部５０は、レンズ情報受信部４４から供給されたレンズ情報としての倍率色収差情報に基づいて、交換レンズ部２１の倍率色収差量を分析し、その分析結果に応じて輝度画像の置き換えを行うか否かを示す置き換え信号を記録画像選択部５１に供給する。すなわち、倍率収差量判定部５０は、交換レンズ部２１の倍率色収差量に基づいて置き換え信号を生成し、記録画像選択部５１に供給する。
【００６２】
記録画像選択部５１は、倍率収差量判定部５０から供給された置き換え信号に基づいて、像高ごとに、モノクロイメージセンサ４２から供給された輝度画像、または画サイズ変換部４９から供給された輝度画像の何れかを記録画像として選択し、記録部５２に出力する。
【００６３】
記録部５２は、記録画像選択部５１から供給された記録画像の図示せぬ記録媒体への記録を行う。なお、ここでは記録画像の大きさは、モノクロイメージセンサ４２の大きさ、つまりモノクロイメージセンサ４２で得られる輝度画像の大きさと同じであるとする。
【００６４】
なお、図３では、カラーイメージセンサ４３は、ライブビュー画像取得用のイメージセンサとされているが、動画像撮影用のイメージセンサがカラーイメージセンサ４３とされてもよい。
【００６５】
〈レンズ情報転送処理の説明〉
続いて、撮像装置１１の動作について説明する。
【００６６】
例えば、ユーザがカメラ部２２に交換レンズ部２１を接続すると、撮像装置１１はレンズ情報を転送するレンズ情報転送処理を開始する。以下、図４のフローチャートを参照して、撮像装置１１によるレンズ情報転送処理について説明する。
【００６７】
ステップＳ１１において、レンズ情報送信部３１は、記録しているレンズ情報を読み出してレンズ情報受信部４４に送信する。
【００６８】
ステップＳ１２において、レンズ情報受信部４４は、レンズ情報送信部３１から送信されてきたレンズ情報を受信して、倍率色収差補正部４５および倍率収差量判定部５０に供給し、レンズ情報転送処理は終了する。
【００６９】
ここで、レンズ情報送信部３１とレンズ情報受信部４４の間では、レンズ情報として例えば図５に示す倍率色収差情報の転送が行われる。
【００７０】
図５に示す倍率色収差情報は、各像高位置におけるＲ画像の倍率色収差を補正するためのＲ用補正倍率と、各像高位置におけるＢ画像の倍率色収差を補正するためのＢ用補正倍率とからなる。
【００７１】
例えば各像高位置のＲ用補正倍率は、Ｇ画像に対するＲ画像の補正倍率、つまりＲ画像を何倍に拡大すればＧ画像と一致するかを示しており、同様に各像高位置のＢ用補正倍率は、Ｇ画像に対するＢ画像の補正倍率を示している。ここで、符号が正である補正倍率は拡大倍率を示しており、符号が負である補正倍率は縮小倍率を示している。また各像高位置は、最も高い像高位置を「1」として、像高位置「1」に対する割り合いで表されている。例えば像高位置「0.8」となる位置は、像高位置「1」となる位置の８割分の高さの位置となる。
【００７２】
この例では像高位置「1」のＲ用補正倍率は「-0.001」となっており、像高位置「1」のＢ用補正倍率は「0.001」となっている。
【００７３】
以上のようにして、カメラ部２２は交換レンズ部２１からレンズ情報を取得する。このようにレンズ情報を取得することで、カラー画像の倍率色収差を正確に補正することができる。
【００７４】
なお、より詳細には、倍率色収差情報に示される像高位置ごとの補正倍率、つまりレンズ部３２の倍率色収差は、レンズ部３２のズームレンズの位置により定まる焦点距離や、レンズ部３２を構成する絞りの絞り値によって変化する。すなわち、レンズ部３２のズーム倍率を変化させたり、絞り量を変化させると倍率色収差は変化する。
【００７５】
そのため、より詳細にはレンズ情報送信部３１には、レンズ部３２の焦点距離と絞り値の組み合わせごとに倍率色収差情報が保持されており、レンズ情報受信部４４は、それらの全組み合わせについての倍率色収差情報をレンズ情報送信部３１から取得する。そして、レンズ情報受信部４４は、取得した複数の倍率色収差情報のなかから、レンズ部３２の焦点距離と絞り値に応じて１つの倍率色収差情報を選択し、倍率色収差補正部４５および倍率収差量判定部５０に供給する。
【００７６】
また、ここでは交換レンズ部２１がカメラ部２２に接続されたタイミングでレンズ情報の転送が行われると説明したが、輝度画像の撮影が指示されたタイミングでレンズ情報が転送されるようにしてもよい。
【００７７】
そのような場合、レンズ情報送信部３１は、輝度画像の撮影が指示された時点、つまり輝度画像の撮影時におけるレンズ部３２の焦点距離と絞り値により定まるレンズ情報（倍率色収差情報）を選択し、レンズ情報受信部４４に送信する。
【００７８】
さらに、輝度画像の撮影時に、レンズ情報受信部４４等が輝度画像と同時に撮影されたカラー画像に基づいて倍率色収差を検波し、その検波結果からレンズ情報としての倍率色収差情報を生成するようにしてもよい。
【００７９】
〈ライブビュー表示処理の説明〉
また、ユーザが輝度画像を撮影しようとして撮像装置１１の電源をオンすると、撮像装置１１は被写体の画像を取り込んでライブビュー画像を表示するライブビュー表示処理を開始する。以下、図６のフローチャートを参照して、撮像装置１１によるライブビュー表示処理について説明する。
【００８０】
ステップＳ４１において、カラーイメージセンサ４３は、ビームスプリッタ４１から入射した光を受光して光電変換することによりＲＡＷ画像を撮影し、倍率色収差補正部４５に供給する。すなわち、カラーイメージセンサ４３は、レンズ部３２およびビームスプリッタ４１を介して被写体を撮影することでＲＡＷ画像を得る。
【００８１】
ステップＳ４２において、倍率色収差補正部４５は、レンズ情報受信部４４から供給されたレンズ情報としての倍率色収差情報に基づいて、カラーイメージセンサ４３から供給されたＲＡＷ画像の倍率色収差を補正し、デモザイク部４６に供給する。
【００８２】
具体的には、倍率色収差補正部４５は、倍率色収差情報に示される像高位置ごとのＲ用補正倍率およびＢ用補正倍率に基づいて、ＲＡＷ画像の各像高位置に対応する画素領域を拡縮処理することで倍率色収差を補正する。すなわち、Ｒ用補正倍率の分だけＲＡＷ画像に含まれるＲ成分の領域が縮小され、Ｂ用補正倍率の分だけＲＡＷ画像に含まれるＢ成分の領域が拡大される。
【００８３】
なお、ＲＡＷ画像に対する倍率色収差補正方法は、既存の倍率色収差補正方法など、どのような方法とされてもよい。
【００８４】
ステップＳ４３において、デモザイク部４６は、倍率色収差補正部４５から供給されたＲＡＷ画像に対してデモザイク処理を行い、その結果得られたカラー画像をＹＣ変換部４７に供給する。
【００８５】
例えばデモザイク部４６は、色成分ごとに、ＲＡＷ画像上の色情報が欠落している画素について、その画素の周囲にある画素を用いた補完を行うことで、各画素がＲ、Ｇ、Ｂの各色情報を有するカラー画像を生成する。これにより、Ｒ画像、Ｇ画像、およびＢ画像からなるカラー画像が得られる。
【００８６】
ステップＳ４４において、ＹＣ変換部４７は、デモザイク部４６から供給されたカラー画像に対して色空間変換を行って、輝度画像および色差画像からなるカラー画像を生成し、表示部４８に供給する。
【００８７】
ステップＳ４５において、表示部４８はＹＣ変換部４７から供給されたカラー画像に基づいてライブビュー表示を行う。すなわち、表示部４８はカラー画像をライブビュー画像として表示する。
【００８８】
なお、カラー画像や輝度画像が、撮像装置１１に有線のケーブル等により接続された外部のディスプレイにライブビュー画像として表示されるようにしてもよい。
【００８９】
ステップＳ４６において、カメラ部２２は処理を終了するか否かを判定する。例えば、ユーザによりカメラ部２２の図示せぬ電源ボタンが操作され、電源がオフされると処理を終了すると判定される。
【００９０】
ステップＳ４６において終了しないと判定された場合、処理はステップＳ４１に戻り、上述した処理が繰り返し行われる。
【００９１】
これに対して、ステップＳ４６において終了すると判定された場合、カメラ部２２は各部の処理を終了させ、これによりライブビュー表示処理は終了する。
【００９２】
以上のようにして撮像装置１１は、電源がオンされるとライブビュー表示のための撮影を開始し、得られたカラー画像をライブビュー画像として表示させる。
【００９３】
〈撮影処理の説明〉
ライブビュー表示処理が開始されてライブビュー画像が表示されると、ユーザはライブビュー画像を見て画角等を確認しながら撮影を行う。すなわち、ユーザはカメラ部２２に設けられた図示せぬシャッタボタンを押下して、輝度画像（記録画像）の撮影を指示する。
【００９４】
ユーザによりシャッタボタンが操作され、輝度画像の撮影が指示されると、撮像装置１１は、輝度画像をキャプチャして記録画像を生成し、得られた記録画像を記録する処理である撮影処理を行う。以下、図７のフローチャートを参照して、撮像装置１１により行われる撮影処理について説明する。
【００９５】
ステップＳ７１において、モノクロイメージセンサ４２は、ビームスプリッタ４１から入射した光を受光して光電変換することにより輝度画像を撮影し、記録画像選択部５１に供給する。すなわち、モノクロイメージセンサ４２は、レンズ部３２およびビームスプリッタ４１を介して被写体を撮影することで輝度画像を得る。
【００９６】
輝度画像の撮影が行われると、その後、ステップＳ７２乃至ステップＳ７５の処理が行われてカラー画像が生成されるが、これらの処理は図６のステップＳ４１乃至ステップＳ４４の処理と同様であるので、その説明は省略する。
【００９７】
なお、より詳細にはステップＳ７１における輝度画像の撮影と、ステップＳ７２におけるＲＡＷ画像の撮影とは同時に行われる。すなわち、ビームスプリッタ４１を介して同じ画角の画像が、モノクロイメージセンサ４２およびカラーイメージセンサ４３により同時に撮影（キャプチャ）される。
【００９８】
ステップＳ７６において、カメラ部２２は、処理対象とする像高位置を選択する。
【００９９】
例えば図８に示すように、モノクロイメージセンサ４２の中心位置を中心Ｏとし、中心Ｏから、モノクロイメージセンサ４２の長方形である撮像面の１つの頂点までの長さを、対角の長さｒとする。
【０１００】
いま、モノクロイメージセンサ４２の図中、横方向の長さが水平サイズｗ＝6000（画素）であり、モノクロイメージセンサ４２の図中、縦方向の長さが垂直サイズｈ＝3000（画素）であるとする。この場合、長さｒ＝（（ｗ2＋ｈ2）1/2）／２であるから、長さｒを表す式にｗ＝6000およびｈ＝3000を代入すると、長さｒ＝3354となる。
【０１０１】
ここで、中心Ｏの位置を像高位置が０割の位置であり、中心Ｏから長さｒの位置を像高位置が１０割の位置であるとする。さらに、中心Ｏから長さｒ×ｘ／１０の位置を像高位置がｘ割（但し０≦ｘ≦１０）の位置であるとし、中心Ｏから像高位置ｘ割の位置までの長さをｒxで表すとする。
【０１０２】
この場合、例えば図８に示すように中心Ｏから像高８割の位置までの長さ（距離）ｒ8は、ｒ8＝ｒ×0.8＝2683となる。また、例えば図５に示した例では、倍率色収差情報における像高位置「0.8」が像高８割の位置である。
【０１０３】
なお、モノクロイメージセンサ４２により撮影される輝度画像と、これから得ようとする記録画像とは同じ大きさ、つまり水平方向および垂直方向の画素数が同じである。したがって、モノクロイメージセンサ４２の中心から長さｒxの位置、つまり像高ｘ割の位置は、記録画像の中心からの長さｒxの位置に対応する位置となる。
【０１０４】
以下では、モノクロイメージセンサ４２の像高位置に対応する輝度画像や記録画像の位置を、単に輝度画像や記録画像の像高位置とも称することとする。
【０１０５】
図７のフローチャートの説明に戻り、カメラ部２２はモノクロイメージセンサ４２の像高位置を像高０割の位置から像高１０割の位置まで順番に、１割刻みで選択していく。なお、以下、ステップＳ７６で選択された像高位置を、処理対象の像高位置とも称することとする。
【０１０６】
ステップＳ７７において、倍率収差量判定部５０はレンズ情報受信部４４から供給されたレンズ情報としての倍率色収差情報に基づいて、処理対象の像高位置における倍率色収差量Δの絶対値が予め定めた閾値ｔｈ以上であるか否かを判定する。
【０１０７】
例えば倍率収差量判定部５０は、像高ｘ割の位置までの長さｒxと、倍率色収差情報に示される、その像高位置における補正倍率ｋとの積を倍率色収差量Δとして求める。ここで、倍率色収差量Δは、輝度画像上の処理対象の像高位置において倍率色収差によって生じる、Ｇ成分の光の結像位置と、Ｒ成分またはＢ成分の光の結像位置とのずれ量（色ずれ量）である。
【０１０８】
具体的には、例えば処理対象の像高位置が像高８割の位置であり、長さｒ8＝2683であるとする。また、像高８割の位置における補正倍率ｋがｋ＝-0.0009であるとする。この場合、像高８割位置における倍率色収差量Δは、Δ＝2683×（-0.0009）＝-2.4（画素）となる。このとき、例えば閾値ｔｈが２（画素）であった場合、倍率色収差量Δ＝-2.4の絶対値は閾値ｔｈ以上であるから、ステップＳ７７では閾値以上であると判定される。
【０１０９】
より詳細には、倍率収差量判定部５０は、倍率色収差情報としてのＲ用補正倍率を補正倍率ｋとして用いて得られた倍率色収差量ΔRと、倍率色収差情報としてのＢ用補正倍率を補正倍率ｋとして用いて得られた倍率色収差量ΔBとを求める。
【０１１０】
そして、倍率収差量判定部５０は、倍率色収差量ΔRの絶対値が閾値ｔｈ未満であり、かつ倍率色収差量ΔBの絶対値が閾値ｔｈ未満である場合に、ステップＳ７７において倍率色収差量の絶対値が閾値以上でないと判定する。すなわち、倍率色収差量ΔRの絶対値と、倍率色収差量ΔBの絶対値とのうちの何れか一方でも閾値ｔｈ以上となる場合には、ステップＳ７７において倍率色収差量の絶対値が閾値ｔｈ以上であると判定される。
【０１１１】
なお、倍率色収差情報に補正倍率ｋが含まれていない像高位置については、適宜、補間処理により補正倍率ｋが求められる。また、ここではＲ用補正倍率とＢ用補正倍率の両方を用いる例について説明したが、Ｒ用補正倍率またはＢ用補正倍率の何れか一方のみを用いて倍率色収差量の判定を行うようにしてもよい。
【０１１２】
さらに、閾値ｔｈは、それ以上の倍率色収差量があると、輝度画像で倍率色収差に起因する色ずれがにじみとなって見えてくる値などとされ、例えば閾値ｔｈは２などとされる。
【０１１３】
また、例えばモノクロイメージセンサ４２とカラーイメージセンサ４３のサイズ差が大きいと、カラー画像から得られた輝度画像を記録画像と同じ大きさとなるように拡大処理した場合に拡大処理による解像劣化が生じることもある。したがって、そのような場合には、拡大処理により生じる解像劣化がどの程度の倍率色収差量に相当するかを考慮して閾値ｔｈを定めるようにすればよい。
【０１１４】
ステップＳ７７において倍率色収差量の絶対値が閾値未満であると判定された場合、倍率収差量判定部５０は、カラー画像から得られた輝度画像への置き換えを行わない旨の置き換え信号を記録画像選択部５１に供給し、処理はステップＳ７８に進む。
【０１１５】
ステップＳ７８において、記録画像選択部５１は、倍率収差量判定部５０から供給された置き換え信号に応じて、モノクロイメージセンサ４２で得られた輝度画像を記録画像として選択し、記録部５２に出力する。
【０１１６】
すなわち、記録画像選択部５１は、モノクロイメージセンサ４２から供給された輝度画像における、処理対象の像高位置にある画素からなる領域を、記録画像における、処理対象の像高位置にある画素からなる領域の画像として選択する。
【０１１７】
例えば処理対象の像高位置が像高ｘ割の位置である場合、モノクロイメージセンサ４２で得られた輝度画像上における、輝度画像の中心位置を中心とし半径がｒxである円上（円周上）の画素からなる領域の画像が、記録画像における、記録画像の中心位置を中心とし半径がｒxである円上の画素からなる領域の画像とされる。
【０１１８】
処理対象の像高位置において倍率色収差量が小さい場合、モノクロイメージセンサ４２により撮影された輝度画像における処理対象の像高位置の領域では、倍率色収差に起因するにじみが小さく、大きな解像劣化は生じない。
【０１１９】
そこで、記録画像選択部５１は、倍率色収差量が小さい像高位置においては、モノクロイメージセンサ４２により撮影された輝度画像をそのまま記録画像とする。
【０１２０】
このようにしてモノクロイメージセンサ４２で得られた輝度画像における処理対象の像高位置の画像が記録画像として選択されると、その後、処理はステップＳ８１へと進む。
【０１２１】
これに対して、ステップＳ７７において倍率色収差量の絶対値が閾値以上であると判定された場合、倍率収差量判定部５０は、カラー画像から得られた輝度画像への置き換えを行う旨の置き換え信号を記録画像選択部５１に供給し、処理はステップＳ７９に進む。
【０１２２】
なお、この場合、より詳細には倍率収差量判定部５０から画サイズ変換部４９に対して画サイズ変換処理の実行指示が供給される。
【０１２３】
ステップＳ７９において、画サイズ変換部４９はＹＣ変換部４７から供給された、カラーイメージセンサ４３で得られたカラー画像から生成された輝度画像に対して画サイズ変換処理を行い、その結果得られた輝度画像を記録画像選択部５１に供給する。
【０１２４】
例えば画サイズ変換部４９は、輝度画像に対してバイキュービックフィルタを用いたフィルタ処理を施すことにより、カラー画像を構成する輝度画像を、モノクロイメージセンサ４２で得られる輝度画像と同じ大きさ、つまり記録画像と同じ大きさの画像に変換する。なお、画サイズ変換処理は、バイキュービックフィルタを用いたフィルタ処理に限らず、他のどのような処理であってもよい。
【０１２５】
ステップＳ８０において、記録画像選択部５１は、倍率収差量判定部５０から供給された置き換え信号に応じて、画サイズ変換された輝度画像を記録画像として選択し、記録部５２に出力する。
【０１２６】
すなわち、記録画像選択部５１は、画サイズ変換部４９から供給された、カラー画像を構成する輝度画像における、処理対象の像高位置にある画素からなる領域を、記録画像における、処理対象の像高位置にある画素からなる領域の画像として選択する。
【０１２７】
例えば処理対象の像高位置が像高ｘ割の位置である場合、画サイズ変換部４９から供給された輝度画像上における、輝度画像の中心位置を中心とし半径がｒxである円上の画素からなる領域の画像が、記録画像における、記録画像の中心位置を中心とし半径がｒxである円上の画素からなる領域の画像とされる。
【０１２８】
処理対象の像高位置において倍率色収差量が大きい場合、モノクロイメージセンサ４２により撮影された輝度画像における処理対象の像高位置の領域では、倍率色収差に起因するにじみが大きく、解像劣化が生じてしまう。
【０１２９】
そこで、記録画像選択部５１は、倍率色収差量が大きい像高位置においては、本来、記録画像とすべきモノクロイメージセンサ４２により撮影された輝度画像に代えて、倍率色収差が補正されたカラー画像を構成する輝度画像を記録画像とする。換言すれば、記録画像用に撮影された輝度画像を、部分的にカラー画像から得られた輝度画像に置き換える。
【０１３０】
このようにして画サイズ変換部４９から供給された輝度画像の処理対象の像高位置の画像が記録画像として選択されると、その後、処理はステップＳ８１へと進む。
【０１３１】
ステップＳ７８またはステップＳ８０において記録画像とする画像が選択されると、ステップＳ８１において、カメラ部２２は全ての像高位置を処理対象の像高位置として処理したか否かを判定する。
【０１３２】
ステップＳ８１において、まだ全ての像高位置を処理していないと判定された場合、処理はステップＳ７６に戻り、上述した処理が繰り返し行われる。すなわち、新たな像高位置が処理対象の像高位置として選択され、その像高位置の記録画像とする画像が選択される。
【０１３３】
なお、以上においては１割間隔の像高位置について処理を行うと説明したが、より詳細には、それらの１割間隔の像高位置の間にある各像高位置については、近傍の像高位置の補正倍率ｋを用いた補間処理によりそれらの像高位置の補正倍率を求め、上述した処理が行われる。すなわち、１割間隔の像高位置の間にある各像高位置についても、補間処理により求められた補正倍率が用いられて記録画像とする輝度画像が選択される。
【０１３４】
また、ステップＳ８１において、全ての像高位置を処理したと判定された場合、像高位置ごとに選択された輝度画像からなる記録画像が得られたことになり、処理はステップＳ８２へと進む。
【０１３５】
ステップＳ８２において、記録部５２は、記録画像選択部５１から供給された記録画像を図示せぬ記録媒体に供給して記録させ、撮影処理は終了する。
【０１３６】
このとき、記録部５２は必要に応じて記録画像を、JPEG（Joint Photographic Experts Group）などの所定のフォーマットの画像に変換した後、記録媒体に記録させる。
【０１３７】
以上のようにして撮像装置１１は、像高位置ごとにモノクロイメージセンサ４２で得られた輝度画像、またはカラーイメージセンサ４３で得られたカラー画像を構成する輝度画像の何れか一方を記録画像として選択し、記録画像を生成する。
【０１３８】
このように像高位置ごとに解像劣化の少ない輝度画像を選択して記録画像とすることで、モノクロイメージセンサ４２を用いて輝度画像を撮影する場合であっても、倍率色収差に起因するにじみの少ない、より高品質な輝度画像を得ることができる。
【０１３９】
なお、この例では、像高位置ごとに輝度画像を選択して記録画像とするため、基本的にはモノクロイメージセンサ４２で得られた輝度画像と、カラーイメージセンサ４３で得られたカラー画像を構成する輝度画像とが記録部５２によって像高位置ごとに合成されて記録画像が生成されることになる。しかし、各像高位置の倍率色収差量によっては、モノクロイメージセンサ４２で得られた輝度画像そのもの、またはカラーイメージセンサ４３で得られたカラー画像を構成する輝度画像そのものが記録画像となることもある。
【０１４０】
また、全体的に各像高位置における倍率色収差量が小さい場合には、所定の像高位置において倍率色収差量の絶対値が閾値以上であるときでもモノクロイメージセンサ４２で得られた輝度画像そのものが記録画像とされるようにしてもよい。
【０１４１】
逆に、全体的に各像高位置における倍率色収差量が大きい場合には、所定の像高位置において倍率色収差量の絶対値が閾値未満であるときでもカラー画像から得られた輝度画像そのものが記録画像とされるようにしてもよい。
【０１４２】
つまり、像高位置ごとに記録画像とする輝度画像を選択するのではなく、全像高位置の倍率色収差量に基づいて、１つの輝度画像がそのまま記録画像として選択されるようにしてもよい。
【０１４３】
また、以上においてはモノクロイメージセンサ４２のサイズが、カラーイメージセンサ４３のサイズよりも大きい場合を例として説明したが、カラーイメージセンサ４３のサイズが、モノクロイメージセンサ４２のサイズよりも大きいサイズとされてもよい。
【０１４４】
そのような場合、例えばモノクロイメージセンサ４２で得られた輝度画像が記録画像選択部５１等で拡大処理され、カラー画像を構成する輝度画像がそのまま記録画像選択部５１に供給される。
【０１４５】
また、例えばモノクロイメージセンサ４２で得られた輝度画像がそのまま記録画像選択部５１に供給され、カラー画像を構成する輝度画像が縮小されて記録画像選択部５１に供給されてもよい。
【０１４６】
ところで、上述した一連の処理は、ハードウェアにより実行することもできるし、ソフトウェアにより実行することもできる。一連の処理をソフトウェアにより実行する場合には、そのソフトウェアを構成するプログラムが、コンピュータにインストールされる。ここで、コンピュータには、専用のハードウェアに組み込まれているコンピュータや、各種のプログラムをインストールすることで、各種の機能を実行することが可能な、例えば汎用のコンピュータなどが含まれる。
【０１４７】
図９は、上述した一連の処理をプログラムにより実行するコンピュータのハードウェアの構成例を示すブロック図である。
【０１４８】
コンピュータにおいて、ＣＰＵ（Central Processing Unit）５０１，ＲＯＭ（Read Only Me mory）５０２，ＲＡＭ（Random Access Memory）５０３は、バス５０４により相互に接続されている。
【０１４９】
バス５０４には、さらに、入出力インターフェース５０５が接続されている。入出力インターフェース５０５には、入力部５０６、出力部５０７、記録部５０８、通信部５０９、及びドライブ５１０が接続されている。
【０１５０】
入力部５０６は、キーボード、マウス、マイクロホン、複数の撮像素子などよりなる。この例では、入力部５０６を構成する２つの撮像素子がモノクロイメージセンサ４２およびカラーイメージセンサ４３に相当する。出力部５０７は、ディスプレイ、スピーカなどよりなる。記録部５０８は、ハードディスクや不揮発性のメモリなどよりなる。通信部５０９は、ネットワークインターフェースなどよりなる。ドライブ５１０は、磁気ディスク、光ディスク、光磁気ディスク、又は半導体メモリなどのリムーバブルメディア５１１を駆動する。
【０１５１】
以上のように構成されるコンピュータでは、ＣＰＵ５０１が、例えば、記録部５０８に記録されているプログラムを、入出力インターフェース５０５及びバス５０４を介して、ＲＡＭ５０３にロードして実行することにより、上述した一連の処理が行われる。
【０１５２】
コンピュータ（ＣＰＵ５０１）が実行するプログラムは、例えば、パッケージメディア等としてのリムーバブルメディア５１１に記録して提供することができる。また、プログラムは、ローカルエリアネットワーク、インターネット、デジタル衛星放送といった、有線または無線の伝送媒体を介して提供することができる。
【０１５３】
コンピュータでは、プログラムは、リムーバブルメディア５１１をドライブ５１０に装着することにより、入出力インターフェース５０５を介して、記録部５０８にインストールすることができる。また、プログラムは、有線または無線の伝送媒体を介して、通信部５０９で受信し、記録部５０８にインストールすることができる。その他、プログラムは、ＲＯＭ５０２や記録部５０８に、あらかじめインストールしておくことができる。
【０１５４】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０１５５】
また、本技術の実施の形態は、上述した実施の形態に限定されるものではなく、本技術の要旨を逸脱しない範囲において種々の変更が可能である。
【０１５６】
例えば、本技術は、１つの機能をネットワークを介して複数の装置で分担、共同して処理するクラウドコンピューティングの構成をとることができる。
【０１５７】
また、上述のフローチャートで説明した各ステップは、１つの装置で実行する他、複数の装置で分担して実行することができる。
【０１５８】
さらに、１つのステップに複数の処理が含まれる場合には、その１つのステップに含まれる複数の処理は、１つの装置で実行する他、複数の装置で分担して実行することができる。
【０１５９】
また、本明細書中に記載された効果はあくまで例示であって限定されるものではなく、他の効果があってもよい。
【０１６０】
さらに、本技術は、以下の構成とすることも可能である。
【０１６１】
（１）
レンズ部を介して被写体を撮影して得られたカラー画像に対して倍率色収差補正を施す倍率色収差補正部と、
前記レンズ部の倍率色収差量に基づいて、前記レンズ部を介して前記被写体を撮影して得られた第１の輝度画像、または倍率色収差補正された前記カラー画像から得られた第２の輝度画像の何れか一方を選択して出力する画像選択部と
を備える撮像装置。
（２）
前記画像選択部は、像高ごとに前記第１の輝度画像または前記第２の輝度画像の何れか一方を選択する
（１）に記載の撮像装置。
（３）
前記画像選択部は、前記像高における前記倍率色収差量の絶対値が閾値以上である場合、前記第２の輝度画像を選択する
（２）に記載の撮像装置。
（４）
前記第２の輝度画像を前記第１の輝度画像と同じサイズに変換する画サイズ変換部をさらに備え、
前記画像選択部は、前記第１の輝度画像、または前記画サイズ変換によりサイズ変換された前記第２の輝度画像の何れか一方を選択する
（１）乃至（３）の何れか一項に記載の撮像装置。
（５）
前記カラー画像を撮影するカラー画像撮影部と、
前記第１の輝度画像を撮影する輝度画像撮影部と
をさらに備える（１）乃至（４）の何れか一項に記載の撮像装置。
（６）
前記カラー画像撮影部のサイズと前記輝度画像撮影部のサイズとが異なる
（５）に記載の撮像装置。
（７）
Ｒ、Ｇ、およびＢの各色成分の画像からなる前記カラー画像を前記第２の輝度画像に変換する画像変換部をさらに備える
（１）乃至（６）の何れか一項に記載の撮像装置。
（８）
レンズ部を介して被写体を撮影して得られたカラー画像に対して倍率色収差補正を施し、
前記レンズ部の倍率色収差量に基づいて、前記レンズ部を介して前記被写体を撮影して得られた第１の輝度画像、または倍率色収差補正された前記カラー画像から得られた第２の輝度画像の何れか一方を選択して出力する
ステップを含む撮影方法。
（９）
レンズ部を介して被写体を撮影して得られたカラー画像に対して倍率色収差補正を施し、
前記レンズ部の倍率色収差量に基づいて、前記レンズ部を介して前記被写体を撮影して得られた第１の輝度画像、または倍率色収差補正された前記カラー画像から得られた第２の輝度画像の何れか一方を選択して出力する
ステップを含む処理をコンピュータに実行させるプログラム。
【符号の説明】
【０１６２】
１１  撮像装置，  ３２  レンズ部，  ４２  モノクロイメージセンサ，  ４３  カラーイメージセンサ，  ４４  レンズ情報受信部，  ４５  倍率色収差補正部，  ４７  ＹＣ変換部，  ４９  画サイズ変換部，  ５０  倍率収差量判定部，  ５１  記録画像選択部
【図１】
2015231052.tif 000003
【図２】
2015231052.tif 000004
【図３】
2015231052.tif 000005
【図４】
2015231052.tif 000006
【図５】
2015231052.tif 000007
【図６】
2015231052.tif 000008
【図７】
2015231052.tif 000009
【図８】
2015231052.tif 000010
【図９】
2015231052.tif 000011